(57)【要約】【課題】  従来の掃除機は被清掃面に付着したごみや塵埃を掻きとるための機構は回転ブラシだけであり、ごみがたまり吸込み力が低下すると回転ブラシの回転力も低下し、被清掃面４１１に付着した塵埃を完全に掻きとることが難しかった。【解決手段】  下面に吸込み開口部を形成した下ケースに上ケースを配設して構成された吸口本体と、該吸口本体内に内蔵され、被清掃面と摺擦する摺擦部材を有する回転ブラシと、前記吸口本体内に配置され、前記回転ブラシの摺擦部材と摺擦することによりマイナスイオンを放出する放電ブラシとを設け、下ケースの底面に起毛付きの板を設けると共に、該板を傾斜させた。【選択図】  図２
2005160883.tif 000002
【特許請求の範囲】
【請求項１】
下面に吸込み開口部を形成した下ケースに上ケースを配設して構成された吸口本体と、該吸口本体内に内蔵され、被清掃面と摺擦する摺擦部材を有する回転ブラシと、前記吸口本体内に配置され、前記回転ブラシの摺擦部材と摺擦することによりマイナスイオンを放出する放電ブラシとを有する電気掃除機の吸口において、
前記下ケースの底面に起毛付きの板を設けると共に、該板を傾斜させたことを特徴とする電気掃除機の吸口。
【請求項２】
請求項１において、
前記放電ブラシを、下ケース底面に向けて傾斜させて取付けたことを特徴とする電気掃除機の吸口。
【請求項３】
請求項１または２において、
前記放電ブラシを、吸口左右方向の中心から外側へ下ケース底面方向に傾斜させて取付けたことを特徴とする電気掃除機の吸口。
【請求項４】
請求項１乃至３の何れかにおいて、
前記放電ブラシを吸口に左右対称位置に二箇所設けたことを特徴とする電気掃除機の吸口。
【請求項５】
請求項１乃至４の何れかにおいて、
前記放電ブラシを空気吸込み開口部を垂直に見たときに直視できる面積を広く設けたことを特徴とする電気掃除機の吸口。
【発明の詳細な説明】
【技術分野】
【０００１】
本発明は、毛ブラシやブレードなどの摺擦素材を設けた回転ブラシによって被清掃面からごみや塵埃を掻き出して吸込む電気掃除機の吸口に関するものである。
【背景技術】
【０００２】
従来の掃除機は、図５に示す如く被清掃面４１１に吸口を置いて運転したときに、回転ブラシ４０６を回転させる駆動力源が掃除機本体の吸込み空気流を回転運動に変換するエアタービンを用いた方式を採用している。回転ブラシ４０６の一部である静電ブラシ４０７と吸口の一部である接触面４０８との摩擦により静電気を発生させ、発生した静電気を静電ブラシ４０７が放電ブラシ４０５を叩くことでマイナスイオンを気中放電する構造としていた。
【０００３】
上記のような掃除機は例えば特許文献１に開示されている。
【０００４】
【特許文献１】特開２００３−３０４９９０号公報
【発明の開示】
【発明が解決しようとする課題】
【０００５】
図５に示す如く、従来の掃除機は起毛状の被清掃面４１１に付着したごみや塵埃を掻きとるための機構は回転ブラシ４０６だけであり、ごみがたまり吸込み力が低下すると回転ブラシ４０６の回転力も低下し、起毛状の被清掃面４１１に付着した塵埃を完全に掻きとることが難しい機構だった。
【０００６】
また、被清掃面４１１に吸口１０３を置いて運転したときに、吸込み空気流を回転ブラシ４０６の駆動源とし、回転ブラシ４０６の一部である静電ブラシ４０７と吸口の一部である接触面４０８との摩擦により静電気を発生させ、発生した静電気を静電ブラシ４０７が放電ブラシ４０５を叩くことでマイナスイオンを気中放電していた。しかし、マイナスイオン発生のために静電ブラシ４０７と放電ブラシ４０５を叩くことが回転ブラシ４０６の回転の増幅を妨げていた。
【０００７】
図６に示す如く、マイナスイオン発生機構である放電ブラシ４０５が、空気吸込み開口部を垂直に見たときに直視できる面積は狭く、被清掃面４１１へのマイナスイオンの到達する量が少なかったため、被清掃面４１１の耐電を中和することが難しかった。
【０００８】
これらの問題を解決する手段として、図３に示す如く、下ケース４０１底面に起毛付きの板４０９を地面とは水平ではなく傾斜をつけて設けることにより、操作力を増加させることなく起毛状の被清掃面４１１に付着したごみや塵埃を掻きとり易くなる。
【０００９】
また、図２、４に示す如く、放電ブラシ４０５を下ケース４０１底面に向けて傾斜させて取付け、さらに吸口１０３の吸口左右方向の中心から外側へ下ケース４０１底面方向に傾斜させて取付けることで、静電ブラシ４０７と放電ブラシ４０５の衝突による衝撃を和らげ、回転ブラシ４０６の回転を増幅することができる。
また、前記放電ブラシ４０５を吸口１０３に左右対称位置に二箇所に設け、吸口１０３内に多量のマイナスイオンを発生し、空気吸込み開口部から被清掃面４１１に多量のマイナスイオンを放出することができる。また、図３のごとく放電ブラシ４０５を空気吸込み開口部を垂直に見たときに直視できる面積を広く設け、空気吸込み開口部から被清掃面４１１に多量のマイナスイオンを直接放出することで、被清掃面４１１の帯電を中和し、ごみや塵埃を吸い込みやすくなる。
【００１０】
本発明の目的は、上記問題に基づいてなされたものであり、下ケース４０１底面に起毛付きの板４０９を地面とは水平ではなく傾斜をつけて設けることにより、操作力を増加させることなく起毛状の被清掃面４１１に付着したごみや塵埃を掻きとり易くし、マイナスイオンを気中放電させるために干渉させている静電ブラシ４０７と放電ブラシ４０５の衝突による衝撃を和らげながら回転数を増幅し、また、空気吸込み開口部から被清掃面４１１に多量のマイナスイオンを直接放出することで、被清掃面４１１の帯電を中和して塵埃の除去を向上させる電気掃除機の吸口を提供することにある。
【課題を解決するための手段】
【００１１】
上記目的を達成するために請求項１では、下面に吸込み開口部を形成した下ケースに上ケースを配設して構成された吸口本体と、該吸口本体内に内蔵され、被清掃面と摺擦する摺擦部材を有する回転ブラシと、前記吸口本体内に配置され、前記回転ブラシの摺擦部材と摺擦することによりマイナスイオンを放出する放電ブラシとを有する電気掃除機の吸口において、前記下ケースの底面に起毛付きの板を設けると共に、該板を傾斜させたことを特徴としている。
【００１２】
上記目的を達成するために請求項２では、マイナスイオンを気中放電する放電ブラシを、下ケース底面に向けて傾斜させて取付け、回転ブラシの回転を増幅する構造を設けたことを特徴としている。
【００１３】
上記目的を達成するために請求項３では、前記放電ブラシを、吸口の左右中心方向から外側へ下ケース底面方向に傾斜させて取付け、回転ブラシの回転を増幅する構造を設けたことを特徴としている。
【００１４】
上記目的を達成するために請求項４では、前記放電ブラシを吸口に左右対称位置に二箇所設け、吸口内に多量のマイナスイオンを発生し、空気吸込み開口部から被清掃面に多量のマイナスイオンを放出できる構造を設けたことを特徴としている。
【００１５】
上記目的を達成するために請求項５では、前記放電ブラシを空気吸込み開口部を垂直に見たときに直視できる面積を広く設け、空気吸込み開口部から被清掃面に多量のマイナスイオンを直接放出する構造を設けたことを特徴としている。
【発明の効果】
【００１６】
本発明の請求項１の構成によれば、操作力を増加させることなく起毛状の被清掃面に付着したごみや塵埃を掻き上げることができる、使い勝手の良い電気掃除機の吸口を提供することができる。
【００１７】
また、本発明の請求項１の構成によれば、マイナスイオンの発生量を低下させることなく回転ブラシの回転が増幅し、被清掃面の帯電を中和してごみや塵埃を効率よく除去することができる、使い勝手の良い電気掃除機の吸口を提供するができる。
【００１８】
また、本発明の請求項３の構成によれば、マイナスイオンの発生量を低下させることなく回転ブラシの回転が増幅し、被清掃面の帯電を中和してごみや塵埃を効率よく除去することができる、使い勝手の良い電気掃除機の吸口を提供することができる。
【００１９】
また、本発明の請求項４の構成によれば、吸口内に多量のマイナスイオンを発生し、空気吸込み開口部から被清掃面に多量のマイナスイオンを放出でき、被清掃面の帯電を中和してごみや塵埃を効率よく除去することができる、使い勝手の良い電気掃除機を提供することができる。
【００２０】
また、本発明の請求項５の構成によれば、空気吸込み開口部から被清掃面に多量のマイナスイオンを直接放出することで、被清掃面の帯電を中和してごみや塵埃を効率よく除去することができる、使い勝手の良い電気掃除機の吸口を提供することができる。
【発明を実施するための最良の形態】
【００２１】
以下、本発明の実施形態を図面を用いて説明する。
【００２２】
図1は掃除機運転時の吸気と排気の流れを示している。電動送風機１０６からの吸気流は、吸口１０３から塵埃と共に吸込まれ、継ぎ手Ｌ１１１，継ぎ手Ｕ１１２を通り伸縮ホース１０４を介してダストカップ１０２に入る。ダストカップ上部室１１３(サイクロン室)にて塵埃と空気に回転分離されダストカップ下部室１１４に圧縮される。一方、電動送風機１０６からの排気流は、吸口排気口１１５と本体排気口１１６に分岐される。本体排気口１１６に向う排気流の一部はコードリール室１１７に入り電源コード１１８を冷却する。また、吸口排気口１１５に向う排気流は継ぎ手Ｕ１１２、継ぎ手Ｌ１１１を通り、吸口排気口１１５から吸口内部に排出される。
【００２３】
図２は吸口１０３の中央断面図である。継ぎ手Ｌ１１１は、吸口本体を形成する下ケース４０１及び上ケース４０２にて挟まれて、上下方向に回動可能となっている。下ケース４０１の下面には吸込み開口部が形成されている。下ケース４０１と上ケース４０２の間にはインナーケース４０３が設置されており、排気流路４０４を形成すると共に放電ブラシ４０５を挟み込んで固定し、かつインナーケース４０３から突出したリブ４１０で放電ブラシ４０５を下ケース４０１底面に向けて傾斜させ、さらに吸口１０３の左右中心方向から外側へ下ケース４０１底面方向に傾斜させている。
【００２４】
４０９は起毛状の被清掃面４１１に付着したごみや塵埃を掻き上げる起毛付きの板４０９であり、下ケース４０１の底面に設置されている。この起毛付きの板４０９はフローリングのような被清掃面４１１では、被清掃面４１１に接することのない高さに設置しており、掃除の際には操作力を増加させることはない。起毛状の被清掃面４１１では起毛状の被清掃面４１１と起毛付きの板４０９が接することでごみや塵埃を掻き上げる高さに設置されている。前記起毛付きの板４０９は、水平に取り付けることでごみの掻き取り性能は向上するが必要以上に接することで抵抗が生じ、操作力が増加する。そこで、起毛付きの板４０９は操作力を増加させることなく起毛状の被清掃面４１１に付着したごみや塵埃を掻き上げる構造とするために、吸口１０３前方から後方にかけて下ケース４０１底面方向に傾斜して設置してある。起毛付きの板４０９を傾斜させて設置することで、毛足の長い起毛状の被清掃面４１１では起毛付きの板４０９が全体で起毛状の被清掃面４１１に接し、確実にごみや塵埃を掻き上げることができる。
【００２５】
また、毛足の短い起毛状の被清掃面４１１では、起毛付きの板４０９が起毛状の被清掃面４１１に必要以上に接することがなく、操作力を増加させることなくごみや塵埃を掻き上げることができるような構造となっている。起毛付きの板４０９は前進時にごみや塵埃を掻き上げ、後退時に起毛付きの板４０９に付着したごみや塵埃をはがしとって空気吸込み開口部から吸込むことで、起毛付きの板４０９を常にきれいな状態に保つことができる。
【００２６】
４０６はごみや塵埃の掻きあげおよび清掃面４１１の乾拭き等を行う回転ブラシ４０６であり、アルミニウム等の金属で形成した溝にやわらかい刷毛と硬い刷毛を交互に配置している。また、前記回転ブラシ４０６には回転接触により静電気を発生させるための静電ブラシ４０７が左右対称に二箇所設けられており、吸口接触面４０８に回転接触させることで、静電気を発生させる構造となっている。また静電ブラシ４０７は、静電気発生と同時に吸口接触面４０８と反対側に設置されている前記放電ブラシ４０５と摩擦することで、マイナスイオンが気中放電させる構造となっている。
【００２７】
図３は吸口１０３底面図であり、回転ブラシ４０６の左右両側には、回転ブラシ４０６を駆動するためのブレード５０１が設置されている。
前記吸口排気口１１５をブレード５０１に当たる位置にすることで、吸込み気流と排気流の両方で回転ブラシ４０６を駆動することができ、回転ブラシ４０６の回転数を増加することができる構造となっている。
【００２８】
図４は図３の吸口１０３のＡ断面図であり、前記放電ブラシ４０５はインナーケース４０３から突出したリブ４１０により、下ケース４０１底面に向けて傾斜させ、さらに吸口の左右中心方向から外側へ下ケース４０１底面方向に傾斜させている。これは、回転ブラシ４０６と放電ブラシ４０５の衝突による衝撃を和らげ、回転ブラシ４０６の回転を増幅し、マイナスイオンを多量に発生させる構造となっている。また、吸口１０３の左右対称位置に前記放電ブラシ４０５を二箇所設けることで、吸口１０３内に多量のマイナスイオンを発生し、空気吸込み開口部から被清掃面４１１に多量のマイナスイオンを放出させる構造となっている。
また、吸口排気口１１５を放電ブラシ４０５近傍に構成することで、排気流を生かし被清掃面４１１にまでマイナスイオンが届く構造となっている。
継ぎ手Ｕ１１２は継ぎ手Ｌ１１１の軸Ａ５０２に対し回動できる構造となっている。
【００２９】
また、図３のごとく、放電ブラシ４０５は空気吸込み開口部を垂直に見たときに直視できる面積を広く設け、空気吸込み開口部から被清掃面４１１に多量のマイナスイオンを直接放出することができる構造となっている。
【００３０】
吸口１０３は掃除機本体１０１と取り外し可能で、継ぎ手Ｕ１１２の先端はテーパ状になっており掃除機本体１０１から吸口１０３を取り外して伸縮ホース１０４の先端のテーパに勘合できる構造となっている。
【００３１】
このように掃除機本体１０１および吸口１０３を構成すると、電気掃除機を被清掃面４１１に置いて本体を前後に回動した場合、継ぎ手Ｌ１１１，継ぎ手Ｕ１１２が回動しても排気通路が塞がれることがなく、回転ブラシ４０６の安定した回転駆動力を得ることができ、掃除に優れた掃除機を提供することができる。
また、前述したように被清掃面４１１のごみや塵埃を吸込み易くする必要がある。
【００３２】
本実施形態では、吸口１０３前方から後方にかけて下ケース４０１底面方向に傾斜して設置した起毛付きの板４０９により、操作力を増加させることなく起毛状の被清掃面４１１に付着したごみや塵埃を掻き上げる構造となっている。
【００３３】
また、吸口１０３内部に排気口を設け、回転ブラシ４０６の一部と吸口１０３の一部との摩擦により静電気を発生させ、発生した静電気を回転ブラシ４０６が放電ブラシ４０５と摩擦することでマイナスイオンを気中放電する構造とし、前記放電ブラシ４０５はインナーケース４０３から突出したリブ４１０により、下ケース底面に向けて傾斜させ、さらに吸口の左右中心方向から外側へ下ケース底面方向に傾斜させた構造とし、回転ブラシ４０６と放電ブラシ４０５の衝突による衝撃を和らげ、回転ブラシ４０６の回転を増幅し、マイナスイオンを多量に発生させる構造となっている。
【００３４】
また、放電ブラシ４０５は空気吸込み開口部を垂直に見たときに直視できる面積を広く設けており、空気吸込み開口部から被清掃面４１１に多量のマイナスイオンを直接放出することができる構造としたことで被清掃面４１１の帯電を中和してごみや塵埃を除去することができ、掃除に優れた掃除機の吸口を提供することができる。
【図面の簡単な説明】
【００３５】
【図１】本発明の実施形態に係る電気掃除機の断面図である。
【図２】本発明の実施形態に係る吸口の断面図である。
【図３】本発明の実施形態に係る吸口の底面図である。
【図４】本発明の実施形態に係る吸口図３のＡ-Ａ断面である。
【図５】従来電気掃除機の吸口の断面図である。
【図６】従来電気掃除機の吸口の底面図である。
【符号の説明】
【００３６】
１０１…掃除機本体、１０３…吸口、４０１…下ケース、４０２…上ケース、４０５…放電ブラシ、４０６…回転ブラシ、４０７…静電ブラシ、４０８…吸口接触面、４０９…起毛付きの板。
【図１】
2005160883.tif 000003
【図２】
2005160883.tif 000004
【図３】
2005160883.tif 000005
【図４】
2005160883.tif 000006
【図５】
2005160883.tif 000007
【図６】
2005160883.tif 000008